(57)【要約】【課題】トイレ等の個室で体調が悪くなった際に既存の設備を利用して家族の者に通報できるようにすること。【解決手段】給湯機１と、該給湯機１をコントロールする少なくとも１個以上の有線式遠隔操作装置２ａ、２ｂと、トイレ等の個室に設けられた緊急呼出し用のスイッチ５と、該スイッチ５と有線で接続される有線で前記給湯機１内に設けられた制御装置３ａの入力部３ｂと、前記有線式遠隔操作装置２ａ、２ｂ内に設けられ、前記スイッチ５の操作により、前記個室からの情報を報知する報知手段とを備えたものである。【選択図】　図１
2004069100.tif 000002
【特許請求の範囲】
【請求項１】
給湯機と、該給湯機をコントロールする少なくとも１個以上の有線式遠隔操作装置と、トイレ等の個室に設けられた緊急呼出し用のスイッチと、該スイッチと有線で接続される前記給湯機内に設けられた制御装置の入力部と、前記有線式遠隔操作装置内に設けられ、前記スイッチの操作により、前記個室からの情報を報知する報知手段とを備えた給湯システム。
【請求項２】
給湯機と、該給湯機をコントロールする少なくとも１個以上の無線式遠隔操作装置と、トイレ等の個室に設けられた緊急呼出し用のスイッチと、該スイッチと有線で接続される前記給湯機内に設けられた制御装置の入力部と、前記無線式遠隔操作装置内に設けられ、前記スイッチの操作により、前記個室からの情報を報知する報知手段とを備えた給湯システム。
【請求項３】
給湯機と、該給湯機をコントロールする少なくとも１個以上の有線式遠隔操作装置と、トイレ等の個室に設けられた緊急呼出し用のスイッチと、該スイッチの信号を無線で送信する発信装置と、該発信装置からの信号を受信する受信装置と、該受信装置からの信号を入力する前記給湯機内に設けられた制御装置と、前記有線式遠隔操作装置内に設けられ前記スイッチの操作により、前記個室からの情報を報知する報知手段とを備えた給湯システム。
【請求項４】
給湯機と、該給湯機をコントロールする少なくとも１個以上の無線式遠隔操作装置と、トイレ等の個室に設けられた緊急呼出し用のスイッチと、該スイッチの信号を無線で送信する発信装置と、該発信装置からの信号と前記無線式遠隔操作装置からの信号を受信する受信装置と、該受信装置からの信号を入力する給湯機内に設けられた制御装置と、前記無線式遠隔操作装置内に設けられ前記スイッチの操作により、前記個室からの情報を報知する報知手段とを備えた給湯システム。
【発明の詳細な説明】
【０００１】
【発明の属する技術分野】
本発明は、トイレ等の浴室以外の個室において緊急事態が発生していることを報知可能とした給湯システムに関するものである。
【０００２】
【従来の技術】
従来の給湯システムにおいては、浴室や台所に設けられた呼び出しスイッチと給湯機の制御装置とが接続されシステムとして機能するように構成されている。
【０００３】
【発明が解決しようとする課題】
トイレ等の個室で万一体調が悪くなり家族の誰かを呼びたい時は、特別の緊急呼出し装置が無ければ、体調が悪い中で、大声で誰かを呼ぶことになる。
【０００４】
したがってこのような場合の安全性を確保するためにはトイレ等の個室に設けた緊急呼び出し用のスイッチを介して伝達できる報知手段を別途配設する必要があった。
【０００５】
本発明は広く普及している給湯機のコントロール用の遠隔操作装置を利用し、すなわち、台所や浴室に設置されている。
【０００６】
遠隔操作装置の報知手段から、トイレ等の個室で発生した緊急事態を知り、その安全性を確保することを目的としている。
【０００７】
【課題を解決するための手段】
本発明は給湯機と、該給湯機をコントロールする少なくとも１個以上の有線式遠隔操作装置と、トイレ等の個室に設けられた緊急呼出し用のスイッチと、該スイッチと有線で接続される有線で前記給湯機内に設けられた制御装置の入力部と、前記有線式遠隔操作装置内に設けられ、前記スイッチの操作により、前記個室からの情報を報知する報知手段とを備えたものである。
【０００８】
【発明の実施の形態】
本発明の請求項１に記載の発明は、給湯機と、給湯機をコントロールする複数設置可能な有線式遠隔操作装置とを備えた給湯システムにおいて、トイレ等の個室に設けられた緊急用呼出しスイッチと、該スイッチの信号を有線で前記給湯機内に設けられた制御装置の入力部に接続し、該スイッチの操作により、前記給湯機をコントロールする有線式遠隔操作装置（一般には、台所と浴室に設置される）の報知手段から、トイレ等の個室において緊急事態が発生していることを音声、あるいはメロディーで家族に報知可能とした給湯システムである。
【０００９】
本給湯システムによれば、万一トイレ等の個室で体調が悪くなっても設置されている緊急用呼出しスイッチを操作することにより、安心して家族の誰かを呼び出すことが出来るものである。
【００１０】
本発明の請求項２に記載の発明は、給湯機と、給湯機をコントロールする複数設置可能な無線式遠隔操作装置とを備えた給湯システムにおいて、トイレ等の個室に設けられた緊急用呼出しスイッチと、該スイッチの信号を有線で前記給湯機内に設けられた制御装置の入力部に接続し、該スイッチの操作により、前記給湯機をコントロールする無線式遠隔操作装置の報知手段から、トイレ等の個室において緊急事態が発生していることを家族に報知可能とした給湯システムである。
【００１１】
本給湯システムによれば、万一トイレ等の個室で体調が悪くなっても設置されている緊急用呼出しスイッチを操作することにより、安心して家族の誰かを呼び出すことが出来るものである。
【００１２】
本発明の請求項３に記載の発明は、給湯機と、給湯機をコントロールする複数設置可能な有線式遠隔操作装置とを備えた給湯システムにおいて、トイレ等の個室に設けられた緊急用呼出しスイッチと、該スイッチの信号を無線で送信する発信装置と、該発信装置からの信号を受信する受信装置と、該受信装置からの信号を入力する前記給湯機内に設けられた制御装置と、前記スイッチの操作により、前記給湯機をコントロールする有線式遠隔操作装置の報知手段から、トイレ等の個室において緊急事態が発生していることを音声、あるいはメロディー等で報知可能とした給湯システムである。
【００１３】
第四の発明は、給湯機と、給湯機をコントロールする複数設置可能な無線式遠隔操作装置とを備えた給湯システムにおいて、トイレ等の個室に設けられた緊急用呼出しスイッチと、該スイッチの信号を無線で送信する発信装置と、該発信装置からの信号と前記給湯機をコントロールする無線式遠隔操作装置からの信号を受信する受信装置と、該受信装置からの信号を入力する給湯機内に設けられた制御装置と、前記スイッチの操作により、前記給湯機をコントロールする無線式遠隔操作装置の報知手段から、トイレ等の個室において緊急事態が発生していること前記給湯システムの無線式遠隔操作装置において報知可能とした給湯システムである。
【００１４】
【実施例】
以下、本発明の実施例について図面を用いて説明する。
【００１５】
（実施例１）
図１は本発明の実施例１の給湯システムの構成図を示している。図において、１は給湯機であり、２ａは給湯機１をコントロールする第一の有線式遠隔操作装置、２ｂは給湯機１をコントロールする第二の有線式遠隔操作装置、３ａは給湯システムを制御する制御装置、４ａは有線式遠隔操作装置からのコントロール信号を伝える信号線、５はトイレ等の個室に設けられた緊急用呼出しスイッチ、４ｂはスイッチ５の操作信号を伝える信号線、３ｂはスイッチ５からの操作信号を制御装置３ａに接続する入力部である。
【００１６】
次に動作作用について説明する。万一、トイレ等の個室で体調が悪くなり家族の誰かを呼びたい時、トイレに設置された緊急用呼出しスイッチ５を押すことにより、信号線４ｂから制御装置の入力部３ｂを経由して、制御装置３ａに緊急呼出し信号が入力される。制御装置３ａはその信号を受け、あらかじめ設定されているように遠隔操作装置２ａ、２ｂに対し、トイレで緊急事態が発生している旨の報知を、各遠隔装置２ａ、２ｂに備えた報知手段から音声、あるいはメロディー等で報知させ遠隔操作装置付近（一般に台所、あるいは浴室に設置されている。）いる家族に知らせ、トイレに駆けつけさせることが出来、体調の悪い人を発見し看護できると言う安心・安全の機能を提供する給湯システムである。
【００１７】
（実施例２）
図２は本発明の実施例２の給湯システムの構成図を示している。図２において、１は給湯機であり、９ａは給湯機１をコントロールする第一の無線式遠隔操作装置、９ｂは給湯機１をコントロールする第二の無線式遠隔操作装置、３ａは給湯システムを制御する制御装置、６ａは制御装置３ａからの制御信号と無線式遠隔操作装置９ａ、９ｂからのコントロール信号を送受信する通信ユニットである。６ｂは通信ユニット６ａと制御装置３ａを接続する信号線、５はトイレ等の個室に設けられた緊急用呼出しスイッチ、４ｂはスイッチ５の操作信号を伝える信号線、３ｂはスイッチ５からの操作信号を制御装置３ａに接続する入力部である。
【００１８】
次に動作作用について説明する。万一、トイレ等の個室で体調が悪くなり家族の誰かを呼びたい時、トイレに設置された緊急用呼出しスイッチ５を押すことにより、信号線４ｂから制御装置の入力部３ｂを経由して、制御装置３ａに緊急呼出し信号が入力される。制御装置３ａはその信号を受け、あらかじめ設定されているように遠隔操作装置９ａ、９ｂに対し、信号線６ｂを経由して通信ユニット６ａから無線手段でトイレで緊急事態が発生している旨の信号を発信させ、各無線式遠隔装置９ａ、９ｂに備えた報知手段から音声、あるいはメロディー等で報知させ無線式遠隔操作装置付近（一般に台所、あるいは浴室に設置されている。）いる家族に知らせ、トイレに駆けつけさせ、体調の悪い人を発見し看護できると言う安心・安全の機能を提供する給湯システムである。
【００１９】
（実施例３）
図３は本発明の実施例３の給湯システムの一実施形態を示している。図において、１は給湯機であり、２ａは給湯機１をコントロールする第一の有線式遠隔操作装置、２ｂは給湯機１をコントロールする第二の有線式遠隔操作装置、３ａは給湯システムを制御する制御装置、４ａは制御装置３ａからの制御信号と有線式遠隔操作装置２ａ、２ｂからのコントロール信号を伝える信号線、５はトイレ等の個室に設けられた緊急用呼出しスイッチ、８はスイッチ５の操作信号を給湯機１に取付けられた受信装置７ａに発信するための送信装置である。７ｂは受信装置７ａからの信号を制御装置３ａに設けてある入力部３ｂに接続する信号線である。
【００２０】
次に動作作用について説明する。万一、トイレ等の個室で体調が悪くなり家族の誰かを呼びたい時、トイレに設置された緊急用呼出しスイッチ５ａを押すことにより、送信装置８から給湯機１に取付けられた受信装置７ａに発信し、信号線７ｂ、入力部３ｂを経由して制御装置３ａに届き、制御装置３ａは、信号線４ａを経由して有線式遠隔操作装置２ａ、２ｂに対し、トイレで緊急事態が発生している旨の信号を送信し、各遠隔装置２ａ、２ｂに備えた報知手段から音声、あるいはメロディー等で報知させ遠隔操作装置付近（一般に台所、あるいは浴室に設置されている。）いる家族に知らせ、トイレに駆けつけさせ、体調の悪い人を発見し看護できると言う安心・安全の機能を提供する給湯システムである。
【００２１】
（実施例４）
図４は本発明の実施例４の給湯システムの構成図を示している。図において、１は給湯機であり、９ａは給湯機１をコントロールする第一の無線式遠隔操作装置、９ｂは給湯機１をコントロールする第二の無線式遠隔操作装置、３ａは給湯システムを制御する制御装置、６ａは制御装置３ａからの制御信号と無線式遠隔操作装置９ａ、９ｂからのコントロール信号とトイレに設けられた送信装置８からの操作信号を送受信する通信ユニットである。６ｂは通信ユニット６ａと制御装置３ａとを接続する信号線、５はトイレ等の個室に設けられた緊急用呼出しスイッチ、８はスイッチ５の操作信号を給湯機１に取付けられた通信ユニット６ａに発信するための送信装置である。
【００２２】
次に動作作用について説明する。万一、トイレ等の個室で体調が悪くなり家族の誰かを呼びたい時、トイレに設置された緊急用呼出しスイッチ５を押すと送信装置８から給湯機１に取付けられた通信ユニット６ａに、スイッチ５が操作されたという操作信号が発信される。通信ユニット６ａからの操作信号は、信号線６ｂを経由して制御装置３ａに入力される。制御装置３ａはその信号を受け、あらかじめ設定されているように遠隔操作装置９ａ、９ｂに対し、信号線６ｂを経由して通信ユニット６ａから無線手段でトイレで緊急事態が発生している旨の信号を発信させ、各無線式遠隔装置９ａ、９ｂに備えた報知手段から音声、あるいはメロディー等で報知させ、遠隔操作装置付近（一般に台所、あるいは浴室に設置されている。）いる家族に知らせ、トイレに駆けつけさせ、体調の悪い人を発見し看護できると言う安心・安全の機能を提供する給湯システムである。
【００２３】
【発明の効果】
以上のように本発明によれば、我々の日常生活においては必需品であって広く普及している給湯機と、この給湯機をコントロールする遠隔操作装置（一般的には、台所、浴室には設置されている。）の報知手段を利用し、トイレ等の個室に設けた緊急呼出しスイッチからの信号を給湯機の制御装置に入力することにより、該スイッチの操作時に、遠隔操作装置の報知手段から、緊急事態が発生していることを家族等に知らせることができる。したがってこのような場合には一刻も早く体調の悪い人を看護できるという効果がある。
【図面の簡単な説明】
【図１】本発明の実施例１の給湯システムの構成図
【図２】本発明の実施例２の給湯システムの構成図
【図３】本発明の実施例３の給湯システムの構成図
【図４】本発明の実施例４の給湯システムの構成図
【符号の説明】
１　給湯機
２ａ，２ｂ　有線式遠隔操作装置
３ａ　制御装置
３ｂ　入力部
５　緊急用呼出しスイッチ
６ａ　通信ユニット
７ａ　通信ユニット
８　送信装置
９ａ、９ｂ　無線式遠隔操作装置
【図１】
2004069100.tif 000003
【図２】
2004069100.tif 000004
【図３】
2004069100.tif 000005
【図４】
2004069100.tif 000006